(57)【要約】 【課題】  所要の荷物を収容して移送するための折畳みパレットであって、折畳み状態での保管時または輸送時に、その積み重ね状態の顕著な安定性が図られるように構成した折畳みパレットを提供する。【解決手段】  ガイドポスト３として、側面側の形状を、幅広延長部を形成することなく、内側に直角に折り曲げた内向き片3ｃを形成するように構成し、これにより当該内向き片3ｃの上端面部分が積重ね時の安定用面として作用するように構成した折畳みパレット。【選択図】  図４
0003150502.tif 000002
【実用新案登録請求の範囲】
【請求項１】
正面枠（Ａ）と背面枠（Ｂ）を底面枠(１)上に折畳むことが出来るように取付けると共に、当該底面枠(１)の四隅に取付けたアングル杆状を呈するガイドポスト(３)に対して起伏自在に連結するための柱体(５)を具えた左右の側面枠(４)を、当該柱体(５)ごと底面枠(１)上に重ね合わせて折畳むように構成する共に、当該折畳み状態での互いの積み重ねに際しては、ガイドポスト(３)の下面に形成した連結用突起片(3ｂ)を、下位側のガイドポスト(３)の上端開口部分に嵌合させることによって、当該折畳み状態での積重ねの安定を図るように構成した折畳みパレットにおいて、
アングル杆状を呈するガイドポスト(３)として、正面側には幅広延長部aを有すると共に、その側面側の形状を、幅広延長部を形成することなく内側に直角に折り曲げた内向き片3ｃを連設するように構成し、これにより当該内向き片3ｃの上端面部分が積重ね時の安定用面としての役割を担うように構成した折畳みパレット。
【請求項２】
内向き片(3ｃ)をガイドポスト(３)と同一な材料で形成したものを固設するように構成した請求項１に記載の折畳みパレット。
【請求項３】
内向き片(3ｃ)をガイドポスト(３)に対して一体成形するように構成した請求項１または請求項２に記載の折畳みパレット。
【請求項４】
内向き片(3ｃ)を金属材料で形成した請求項１に記載の折畳みパレット。
【請求項５】
内向き片(3ｃ)を硬質の合成樹脂材料で形成した請求項１に記載の折畳みパレット。
【考案の詳細な説明】
【技術分野】
【０００１】
本考案は、所要の荷物を収容して移送するための折畳みパレットであって、折畳み状態での保管時または輸送時に、その積み重ね状態の顕著な安定性が図られるように構成した折畳みパレットに関する。
【背景技術】
【０００２】
元来、折畳みパレットとは、底面枠の正面及び背面に正面枠と背面枠を、当該底板部上に重ね合わせるように折畳むと共に、底面枠１の四隅に取付けたガイドポストに対して起伏自在に連結した柱体を具えた左右の側面枠を、当該柱体ごと底面枠上に重ね合わせて折畳むように構成し、その保管時等に於いては、図８に示すように、当該ガイドポスト部分で互いに段積みすることができるように構成したものである。（例えば、特許文献１参照。）。
【０００３】
そして、折畳み状態における薄型化を図ることに依って、その積重ね時の全体的高さの減少化、すなわち、限られた高さスペースにおいて多数の折畳みパレットの積み重ねがなされることによる輸送コストの低廉化を図るように構成した折畳みパレットも存在する（例えば、特許文献２参照。）。
【特許文献１】実公平７−２８１１３号公報
【特許文献２】実用新案登録第３１４０２７９号公報
【考案の開示】
【考案が解決しようとする課題】
【０００４】
上述したような従来の折畳みパレットの場合、その積み重ねをガイドポストの部分の互いの嵌合に基づき行うものであり、かつ当該嵌合はある程度の遊びを設けなければ成らない。  すなわち、遊びのないピッタリとした嵌合とした場合はフォークリフトによる積み重ね作業が極めて困難とされる関係上ある程度の遊びの存在は不可欠とした。  然し乍、当該遊びの存在に基づき、積み重ね状態において対角線方向のズレが生じ易く、これが発生した場合は図９に示すように、対角線方向かの方向にずれが生じてしまった場合、すなわち、同図に示すように、ガイドポスト部分に嵌合ズレＭが生じた場合、その反対側に横ズレＮが発生してしまい、これにより、積み上げられた折畳みパレットは同図に示すように傾いてしまうこととなる。このような傾きが一つまたは複数の折畳みパレットで生じた場合、通常九段〜十三段程度の折畳み状態のパレットを積み上げる関係上、このような傾きは必然的に崩壊事故を発生してしまうことを余儀なくされた。
【０００５】
本考案はこのような従来の問題を解決したものであり、折畳み状態にある多数のパレットを積み上げても、極めて安定かつ整然たる積み重ね状態に保持されるように構成した新規の折畳みパレットの提供を図ったものである。
【課題を解決するための手段】
【０００６】
本考案は請求項１に記載のよう、正面枠Ａと背面枠Ｂを底面枠１上に折畳むことが出来るように取付けると共に、当該底面枠１の四隅に取付けたアングル杆状を呈するガイドポスト３に対して起伏自在に連結するための柱体５を具えた左右の側面枠４を、当該柱体５ごと底面枠１上に重ね合わせて折畳むように構成する共に、当該折畳み状態での互いの積み重ねに際しては、ガイドポスト３の下面に形成した連結用突起片3ｂを、下位側のガイドポスト３の上端開口部分に嵌合させることによって、当該折畳み状態での積重ねの安定を図るように構成した折畳みパレットにおいて、
ガイドポスト３として、側面側の形状を幅広延長部を形成することなく、内側に直角に折り曲げた内向き片3ｃを形成するように構成し、これにより当該内向き片3ｃの下端面部分が積重ね時の安定用面として作用するように構成した折畳みパレットに係る。
【０００７】
本考案は請求項２に記載のように、内向き片3ｃをガイドポスト３と同一な材料で形成したものを固設するように構成した請求項１に記載の折畳みパレット。安定用コーナー片10をガイドポスト３と同一な材料で形成したものを固設するように構成した請求項１に記載の折畳みパレットを実施の態様とする。
【０００８】
本考案は請求項３に記載のように、内向き片3ｃをガイドポスト３に対して一体成形するように構成した請求項１または請求項２に記載の折畳みパレットを実施の態様とする。
【０００９】
本考案は請求項４に記載のように、内向き片3ｃを金属材料で形成した請求項１に記載の折畳みパレットを実施の態様とする。
【００１０】
本考案は請求項５に記載のように、内向き片3ｃを硬質の合成樹脂材料で形成した請求項１に記載の折畳みパレットを実施の態様とする。
【考案の効果】
【００１１】
本考案は請求項１に記載したように、正面枠Ａと背面枠Ｂを底面枠１上に折畳むことが出来るように取付けると共に、当該底面枠１の四隅に取付けたアングル杆状を呈するガイドポスト３に対して起伏自在に連結するための柱体５を具えた左右の側面枠４を、当該柱体５ごと底面枠１上に重ね合わせて折畳むように構成する共に、当該折畳み状態での互いの積み重ねに際しては、ガイドポスト３の下面に形成した連結用突起片3ｂを、下位側のガイドポスト３の上端開口部分に嵌合させることによって、当該折畳み状態での積重ねの安定を図るように構成した折畳みパレットにおいて、ガイドポスト３として、側面側の形状を、幅広延長部を形成することなく、内側に直角に折り曲げた内向き片3ｃを形成するように構成し、これにより当該内向き片3ｃの下端面部分が積重ね時の安定用面として作用するように構成したから、折畳み状態にある多数のパレットを積み上げても、極めて安定かつ整然たる積み重ね状態に保持されることとなる。
【００１２】
すなわち、ガイドポスト３として、側面側の形状を、幅広延長部を形成することなく、内側に直角に折り曲げた内向き片3ｃを形成するように構成することにより、図７に示すように、下位側のガイドポスト３（鎖線で示す部分）上に位置される上位側のガイドポスト３（実線で示す部分）は、これが対角線方向（矢印方向）にズレ動いたとしても、下位側のガイドポストの内向き片3ｃの上面部分、すなわち、図７に示すＰ
部分で上位側のガイドポストの下縁から外れることなく位置するため、これが外れてしまった場合に生じる図９に示すような崩れ発生と言うような問題発生を防止することとなる。
【００１３】
本考案に係る折畳みパレットは、請求項２に記載のように、内向き片3ｃをガイドポスト(３)と同一な材料で形成したものを固設するように構成することにより、製造材料の管理の合理化が図られる。
【００１４】
本考案は請求項３に記載のように、内向き片3ｃをガイドポスト３に対して一体成形するように構成することにより、製造上の合理化が図られる。
【００１５】
本考案は請求項４に記載のように、内向き片3ｃを金属材料で形成するか、或いは請求項５に記載のように、硬質の合成樹脂材料で形成することにより、残材の利用等使用材料の低コスト化を図ることができる。
【考案を実施するための最良の形態】
【００１６】
本考案の実施対象とする折畳みパレットであるが、これは、底面枠１の正面及び背面に正面枠Ａと背面枠Ｂを、当該底面枠１上に重ね合わせるように折畳み、然る後、両端部に柱体５を備えた左右の側面枠４を当該柱体ごと、その上に重ね合わせて折畳むように構成されている。  そして、折畳み状態にあるパレットは、下記するような構成を備えたガイドポスト３部分に於いて所要段数積み重ねられるように構成されている。  本考案はこのような形態を備えた折畳みパレットを実施対象とするものである。
【００１７】
図１は組立て状態にある本考案に係る折畳みパレットの一部切欠正面図、図２は同上側面図である。  同図において、１は底面枠であって、その底面にはスキー２が固設されている。
【００１８】
３は上記底面枠１の四隅に立設したガイドポストであって、後述する左右の側面枠4，4の料側部に取り付けられている各柱体５を起伏自在に取り付けるためのものである。
【００１９】
そして、当該ガイドポスト３であるが、本考案にあっては、当該ガイドポスト３はアングル杆状に形成したものを実施の対象とする。  なお、従来のガイドポスト３にあっては、図10に示すようにその正面及び側面には幅広延長部ａ，ｂが連設されており、これによりガイドポスト３に対する立設状態での安定的取り付けが図られるように構成されている。  なお、当該ガイドポスト３として角柱状のものを用いずにアングル杆状のものとしてあるのは、これを角柱状のものとした場合、パレットとしての使用時に、底面部隅角部に当該ガイドポストの内側隅角部が存在するため、例えばダンボール箱等を積載した際に、その収容上の邪魔となってしまうというような問題が生じてしまうためである。  
【００２０】
本考案にあっては、上記のような理由に基づきアングル杆状に形成したことに基因するガイドポスト３の積み重ね上の対角線方向のズレに基づく安定性の問題を解決するようにするために、後述するような構成を採用したことを特徴とするものである。
【００２１】
すなわち、前後方向及び左右方向へのズレ動きは、当該ガイドポストがアングル杆であるため、その上縁及び下縁の接触にズレが生じてもこれから脱落してしまうことは無いが、対角線方向にズレ動いた場合は互いのアングル状空間部分に落ち込んでしまう恐れが生じることとなり、本考案はこのような事態発生を解消するように構成したことを特徴とするものである。
【００２２】
次に、前記した左右の側面枠４の底面枠１に対する起伏自在の取付けであるが、これは下記のように構成してある。
【００２３】
図１及び図２に示すように、パレットを組立て状態とするためには、側面枠４の各柱体５の下端部を、底面枠１の四隅に立設した各ガイドポスト３内の下方に収装されているガイド枠3ａ（図３参照）部分に突入させて、当該各柱体５を垂直に立ち上がらせることによって行い、また、パレットを折畳み状態とするためには、当該柱体５を当該ガイド枠3ａ（図７参照）で形成される枠状部分内から引き抜いた状態で底面枠１上に倒すことによって行われるように構成してある。
【００２４】
そのための具体的手段であるが、これは、当該ガイドポスト３に形成した矩形状案内窓孔に対して、柱体５の下端に突設した回動制御用軸状突起を当該案内窓孔内に突入させることにより、当該柱体５はガイドポスト３に対して起伏自在に取付けられるように構成してある。
更に、当該柱体５の立ち上がり状態での安定化は、ガイドポスト３の上縁に形成した掛止め用切欠き部ｄに対して、正面側及び背面側の各柱体５の所定位置に突設した係止用突起ｅを係止させることによって行われ、当該各柱体５をやや持ち上げることによって当該係止を解除させると共に上記ガイド枠3ａ部分から引き抜いた状態で、当該各柱体５を内方に倒すことにより、側面枠４が底面枠１上に折畳まれるように構成してある。  なお、正面枠Ａ及び背面枠Ｂも底面枠１上に折畳まれるように構成してある。
【００２５】
そして、ガイドポスト３の下面には連結用突起片3ｂが突設されており、また、柱体５の上端面には連結用口部5ａが形成されており、組立て状態にある複数のパレットを積重ねる際に、下位に位置するパレットに於ける柱体５の上端（連結用口部）に対して、上位に位置するパレットにおけるガイドポスト３の連結用突起片3ｂをしっくりと受け入れることにより、その積重ねの安定化が図られるように構成してある。
【００２６】
更に、折畳み状態における積重ねに際しては、当該連結用突起片3ｂを、ガイドポスト３の上端部分に突入させた状態で重ね合わせることによって、当該折畳み状態での積み重ねの安定化を図るように構成してある。
【００２７】
なお、このようなガイドポスト３に対する柱体５の折畳み自在とする取り付け構造、並びに組立て状態及び折畳み状態での積重ねのための構造は公知技術に属するものであり、特許文献１及び特許文献２示すものに於いても同様な構成を採っている。  そして、図面に示す折畳みパレットは、下記するような本考案の技術部分を除き、その全体的構成は特許文献２に示すものと全く同一なものを一つの実施例として表してある。
【００２８】
換言すると、本考案は特許文献１及び特許文献２を含めて、このようなガイドポスト３部分を介して折畳み状態下での積み重ねを行うように構成した全ての折畳みパレットを実施の対象とするものである。  そして、本考案は当該ガイドポスト３部分の構成に改良を施し、これにより折畳み状態での積み重ねに際する顕著な安定性の確保が図られるように構成したことを特徴とするものである。
【００２９】
図１０は従来のガイドポストを表したものであり、これは正面板部分と側面板部分の形状が外方に幅広延長部ａ及びｂを形成することによって、底面枠１に対する固設性の強化を図るような形態に構成したものである。
【００３０】
図３至図６は本考案の要部とする構成を表した説明用図面である。  すなわち、上記した従来のガイドポストと対比した場合、本考案におけるガイドポスト３は、正面側の形状は従来と同様であるが、側面側の形状を、幅広延長部を形成することなく、内側に直角に折り曲げた内向き片3ｃを形成するように構成し、これにより当該内向き片3ｃの上端面部分が積重ね時の安定用面として作用するように構成したことを技術的要部とするものである。  すなわち、下位側にある折畳みパレットにおける当該内向き片3ｃの上端面部分が、上位側にある折畳みパレットのガイドポスト３の下端縁部分に対する支え面として機能するように構成してある
【００３１】
すなわち、従来であると折畳み状態における積み重ねは、前述したように連結用突起片3ｂを、ガイドポスト３の上端開口部分に嵌合させることによって、当該折畳み状態での積重ねの安定を図るように構成してあるが（図６参照）、当該嵌合はフォークリフトを使用して行う関係上、その嵌合の容易化を図るために、連結用突起片3ｂの直径寸法Ｒを、これを嵌入するためのガイド枠3ａで形成される内径寸法Ｓを大きくするように構成してあるため、その嵌合には遊びが生じ、左右方向は比較的安定しているが、対角線方向へのズレが生じ易く、このようなズレが生じた場合は、既述したような積み重ね上の問題（図９に示すような問題）が生じてしまうこととなる。
【００３２】
これに対して本考案は上述したように、ガイドポスト３として、正面側の形状は従来と同様であるが、側面側の形状を、幅広延長部を形成することなく、内側に直角に折り曲げた内向き片3ｃを形成するように構成し、これにより当該内向き片3ｃの上端面部分が積重ね時の安定用面として作用するように構成することにより、図７に示すように、下位側のガイドポスト３（鎖線で示す部分）上に位置される上位側のガイドポスト３（実線で示す部分）は、これが対角線方向（矢印方向）にズレ動いたとしても、下位側のガイドポストの内向き片3ｃの上面部分、すなわち、図７に示すＰ部分で上位側のガイドポストの下縁から外れることなく位置するため、これが外れてしまった場合に生じる図９に示すような崩れ発生と言うような問題発生を未然に解消することとなるわけである。
【００３３】
なお、ガイドポスト３の内側に直角に折り曲げた内向き片3ｃの形成であるが、これは一体に折り曲げる以外、別体のものを固設するように構成してもよい。  そして、この場合、当該内向き片3ｃ部分の材質であるが、ガイドポスト３と同一な材料、例えばアルミまたはステンレスのような金属材料とすることが好ましいが、硬質のプラスチックで形成したものを用いるように構成してもよい。  そして、上記のようにガイドポスト３と同一な材料で形成する場合は、一体成形の手段に基づき形成することが好ましい。
【図面の簡単な説明】
【００３４】
【図１】本考案に係る折畳みパレットの一部切欠正面図である。
【図２】本考案に係る折畳みパレットの側面図である。
【図３】本考案の要部とするガイドポスト部分を表した説明用正面図である。
【図４】本考案の要部とするガイドポスト部分を表した説明用平面図である。
【図５】本考案の要部とするガイドポスト部分を表した説明用側面図である。
【図６】本考案の積み上げ形態を表した要部の説明用側面図である。
【図７】本考案の作動を表した説明用平面図である。
【図８】折畳み状態にある従来のパレットが正常に積み上げられた状態を表した正面図である。
【図９】折畳み状態にある従来のパレットの積み上げに異常をきたした場合を表した正面図である。
【図１０】従来のガイドポスト部分を表した説明用平面図である。
【符号の説明】
【００３５】
１  底面枠
２  スキー
３  ガイドポスト
3ａ ガイド枠
3ｂ 連結用突起片
3ｃ 内向き片
ｄ  掛止め用切欠き部
４  側面枠
５  柱体
5ａ 連結用口部
ｅ  係止用突起
Ａ  正面枠
Ｂ  背面枠
【図１】
0003150502.tif 000003
【図２】
0003150502.tif 000004
【図３】
0003150502.tif 000005
【図４】
0003150502.tif 000006
【図５】
0003150502.tif 000007
【図６】
0003150502.tif 000008
【図７】
0003150502.tif 000009
【図８】
0003150502.tif 000010
【図９】
0003150502.tif 000011
【図１０】
0003150502.tif 000012